(57)【特許請求の範囲】
【請求項１】
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交流のＶ−Ｎ相間に通電可能なＶ相負荷と、
乱数を用いて前記Ｕ相負荷と前記Ｖ相負荷の通電タイミングを決定し、前記Ｕ相負荷に通電させていないときの各前記第１，第２の電流センサの計測結果と前記Ｕ相負荷に通電させたときの各前記第１，第２の電流センサの計測結果との偏差から、各前記第１，第２の電流センサの前記Ｕ相負荷による通電の有無と通電方向とを判定し、前記Ｖ相負荷に通電させていないときの各前記第１，第２の電流センサの計測結果と前記Ｖ相負荷に通電させたときの各前記第１，第２の電流センサの計測結果との偏差から、各前記第１，第２の電流センサの前記Ｖ相負荷による通電の有無と通電方向とを判定して、前記第１、第２の電流センサそれぞれの取り付け線と向きとを判定する判定部と、
を備えることを特徴とするコージェネレーションシステム。
【請求項２】
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交交流のＶ−Ｎ相間に通電可能なＶ相負荷と、
乱数を用いて前記Ｕ相負荷と前記Ｖ相負荷の通電期間を決定し、前記Ｕ相負荷に通電させていないときの各前記第１，第２の電流センサの計測結果と前記Ｕ相負荷に通電させたときの各前記第１，第２の電流センサの計測結果との偏差から、各前記第１，第２の電流センサの前記Ｕ相負荷による通電の有無と通電方向とを判定し、前記Ｖ相負荷に通電させていないときの各前記第１，第２の電流センサの計測結果と前記Ｖ相負荷に通電させたときの各前記第１，第２の電流センサの計測結果との偏差から、各前記第１，第２の電流センサの前記Ｖ相負荷による通電の有無と通電方向とを判定して、前記第１、第２の電流センサそれぞれの取り付け線と向きとを判定する判定部と、
を備えることを特徴とするコージェネレーションシステム。
【請求項３】
前記判定部は、前記第１、第２の電流センサの取り付け線と向きとが許容できない組合せならば、エラーを通知する、
ことを特徴とする請求項１または２に記載のコージェネレーションシステム。
【請求項４】
前記Ｕ相負荷と前記Ｖ相負荷とは、前記コージェネレーションシステムに用いられるグローヒータである、
ことを特徴とする請求項１ないし３のうちいずれか１項に記載のコージェネレーションシステム。
【請求項５】
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交流のＶ−Ｎ相間に通電可能なＶ相負荷と、
判定部と、
を備えたコージェネレーションシステムが実行するセンサチェック方法であって、
前記判定部は、
乱数を用いて前記Ｕ相負荷と前記Ｖ相負荷の通電タイミングを決定し、
前記Ｕ相負荷に通電させていないときに各前記第１，第２の電流センサでそれぞれ電流を計測し、
前記Ｕ相負荷に通電させたときの各前記第１，第２の電流センサでそれぞれ電流を計測し、
各前記第１，第２の電流センサの前記Ｕ相負荷による通電の有無と通電方向とを判定し、
前記Ｖ相負荷に通電させていないときに各前記第１，第２の電流センサでそれぞれ電流を計測し、
前記Ｖ相負荷に通電させたときの各前記第１，第２の電流センサでそれぞれ電流を計測し、
各前記第１，第２の電流センサの前記Ｖ相負荷による通電の有無と通電方向とを判定して、前記第１、第２の電流センサそれぞれの取り付け線と向きとを判定する、
ことを特徴とするコージェネレーションシステムのセンサチェック方法。
【請求項６】
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交流のＶ−Ｎ相間に通電可能なＶ相負荷と、
判定部と、
を備えたコージェネレーションシステムが実行するセンサチェック方法であって、
前記判定部は、
乱数を用いて前記Ｕ相負荷と前記Ｖ相負荷の通電期間を決定し、
前記Ｕ相負荷に通電させていないときに各前記第１，第２の電流センサでそれぞれ電流を計測し、
前記Ｕ相負荷に通電させたときの各前記第１，第２の電流センサでそれぞれ電流を計測し、
各前記第１，第２の電流センサの前記Ｕ相負荷による通電の有無と通電方向とを判定し、
前記Ｖ相負荷に通電させていないときに各前記第１，第２の電流センサでそれぞれ電流を計測し、
前記Ｖ相負荷に通電させたときの各前記第１，第２の電流センサでそれぞれ電流を計測し、
各前記第１，第２の電流センサの前記Ｖ相負荷による通電の有無と通電方向とを判定して、前記第１、第２の電流センサそれぞれの取り付け線と向きとを判定する、
ことを特徴とするコージェネレーションシステムのセンサチェック方法。
【発明の詳細な説明】
【技術分野】
【０００１】
本発明は、コージェネレーションシステムおよびコージェネレーションシステムのセンサチェック方法に関し、特に、コージェネレーションシステムのＣＴ（Current Transformer：変流器）センサの接続判定に好適なコージェネレーションシステムおよびコージェネレーションシステムのセンサチェック方法に関する。
【背景技術】
【０００２】
系統電源から配電線を介して家庭内負荷に電力を送給する電力供給システムにコージェネレーションシステムを設置する場合、このコージェネレーションシステムの電源の出力側が系統連系インバータおよび系統連系用配電線を介して配電線に電気的に接続される。家庭用のコージェネレーションシステムでは発電電力の系統への逆潮流が許されない。よって、配電盤にＣＴセンサ（電流センサ）を取り付けて電流を監視する必要がある。
【０００３】
その際、ＣＴセンサ２個を正しい配線・正しい向きに取り付ける必要があるが、Ｕ相、Ｎ相、Ｖ相の３線×２方向の６通りの取り付けのバリエーションがあるため、システム動作前に誤組みを検証する必要がある。
【０００４】
これに対し、特許文献１に記載の技術が提案されている。特許文献１の要約書の解決手段には、「コージェネレーション用発電機４と、発電機４からの電力を系統連系用配電線２２を介して商業用電源１４からの商業用配電線１６に連系するための系統連系インバータ１２と、商業用配電線１６を流れる電流を検出する電流検出器８６と、電流検出器８６の検出電流を利用して発電機４から系統連系インバータ１２及び系統連系用配電線２２を介して商業用配電線１６に送給される電力を制御するためのシステム制御手段７２と、を具備し、システム制御手段７２は、発電機４の運転を停止した状態において、電流検出器８６の検出電流に基づいて電流検出器８６の接続状態を診断する。」と記載されている。
【先行技術文献】
【特許文献】
【０００５】
【特許文献１】特開２００２−２８６７８５号公報
【発明の概要】
【発明が解決しようとする課題】
【０００６】
特許文献１に記載の技術では、電流検出器で電流を検出する際には、発電機の運転を停止している。しかし、家庭用のコージェネレーションシステムでは、家庭内の負荷を全て停止することは、極めて煩雑である。
また、特許文献１に記載の技術では、専用の電力負荷を要するため、部品点数とコストが増大するおそれがある。
【０００７】
本発明は、このような事情に鑑みてなされたものであり、容易に電流センサの取り付け位置の判定が可能なコージェネレーションシステムおよびコージェネレーションシステムのセンサチェック方法を提供することを課題とする。
【課題を解決するための手段】
【０００８】
請求項１に記載の発明は、コージェネレーションシステムであって、
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交流のＶ−Ｎ相間に通電可能なＶ相負荷と、
乱数を用いて前記Ｕ相負荷と前記Ｖ相負荷の通電タイミングを決定し、前記Ｕ相負荷に通電させていないときの各前記第１，第２の電流センサの計測結果と前記Ｕ相負荷に通電させたときの各前記第１，第２の電流センサの計測結果との偏差から、各前記第１，第２の電流センサの前記Ｕ相負荷による通電の有無と通電方向とを判定し、前記Ｖ相負荷に通電させていないときの各前記第１，第２の電流センサの計測結果と前記Ｖ相負荷に通電させたときの各前記第１，第２の電流センサの計測結果との偏差から、各前記第１，第２の電流センサの前記Ｖ相負荷による通電の有無と通電方向とを判定して、前記第１、第２の電流センサそれぞれの取り付け線と向きとを判定する判定部と、
を備えるものである。
この発明によれば、容易に電流センサの取り付け位置の判定が可能となる。また家庭用負荷などを停止することなしに、容易に電流センサの取り付け位置の判定が可能となる。
【０００９】
請求項２に記載の発明は、
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交交流のＶ−Ｎ相間に通電可能なＶ相負荷と、
乱数を用いて前記Ｕ相負荷と前記Ｖ相負荷の通電期間を決定し、前記Ｕ相負荷に通電させていないときの各前記第１，第２の電流センサの計測結果と前記Ｕ相負荷に通電させたときの各前記第１，第２の電流センサの計測結果との偏差から、各前記第１，第２の電流センサの前記Ｕ相負荷による通電の有無と通電方向とを判定し、前記Ｖ相負荷に通電させていないときの各前記第１，第２の電流センサの計測結果と前記Ｖ相負荷に通電させたときの各前記第１，第２の電流センサの計測結果との偏差から、各前記第１，第２の電流センサの前記Ｖ相負荷による通電の有無と通電方向とを判定して、前記第１、第２の電流センサそれぞれの取り付け線と向きとを判定する判定部と、
を備えるものである。
この発明によれば、家庭用負荷などを停止することなしに、容易に電流センサの取り付け位置の判定が可能となる。
【００１０】
請求項３に記載の発明は、請求項１または２に記載のコージェネレーションシステムにおいて、前記判定部は、前記第１、第２の電流センサの取り付け線と向きとが許容できない組合せならば、エラーを通知するものである。
この発明によれば、請求項１または２に記載の発明の作用効果に加えて、第１、第２の電流センサが許容できない取り付け線と向きに取り付けられている場合をすぐさま判定することが可能となる。
【００１１】
請求項４に記載の発明は、請求項１ないし３のうちいずれか１項に記載のコージェネレーションシステムにおいて、前記Ｕ相負荷と前記Ｖ相負荷とは、前記コージェネレーションシステムに用いられるグローヒータであるものである。
この発明によれば、請求項１ないし３のうちいずれか１項に記載の発明の作用効果に加えて、追加部品なしに電流センサの取り付け位置の判定が可能となる。
【００１２】
請求項５に記載の発明は、
家庭内負荷に接続されて交流を構成するＵ，Ｎ，Ｖ相のうち何れかに何れかの向きでそれぞれ取り付けられる第１、第２の電流センサと、
前記交流のＵ−Ｎ相間に通電可能なＵ相負荷と、
前記交流のＶ−Ｎ相間に通電可能なＶ相負荷と、
判定部と、
を備えたコージェネレーションシステムが実行するセンサチェック方法であって、
前記判定部は、
乱数を用いて前記Ｕ相負荷と前記Ｖ相負荷の通電タイミングを決定し、
前記Ｕ相負荷に通電させていないときに各前記第１，第２の電流センサでそれぞれ電流を計測し、
前記Ｕ相負荷に通電させたときの各前記第１，第２の電流センサでそれぞれ電流を計測し、
各前記第１，第２の電流センサの前記Ｕ相負荷による通電の有無と通電方向とを判定し、
前記Ｖ相負荷に通電させていないときに各前記第１，第２の電流センサでそれぞれ電流を計測し、
前記Ｖ相負荷に通電させたときの各前記第１，第２の電流センサでそれぞれ電流を計測し、
各前記第１，第２の電流センサの前記Ｖ相負荷による通電の有無と通電方向とを判定して、前記第１、第２の電流センサそれぞれの取り付け線と向きとを判定するものである。
この発明によれば、容易に電流センサの取り付け位置の判定が可能となる。また家庭用負荷などを停止することなしに、容易に電流センサの取り付け位置の判定が可能となる。
【発明の効果】
【００１３】
本発明によれば、容易に電流センサの取り付け位置の判定が可能なコージェネレーションシステムおよびコージェネレーションシステムのセンサチェック方法を提供することができる。
【図面の簡単な説明】
【００１４】
【図１】本実施形態の燃料電池コージェネレーションシステムの構成図である。
【図２】ＣＴセンサの取り付け状態を示す図である。
【図３】許容可能なＣＴセンサの取り付け状態の組合せを示す図である。
【図４】２電力の演算および方向の判定のためのタイミングチャートである。
【図５】ＥＣＵ−ＰＣＳのユニット間の正常時の動作を示すシーケンス図である。
【図６】ＥＣＵ−ＰＣＳのユニット間の異常検知時の動作を示すシーケンス図である。
【図７】Ｕ相負荷検査（その１）を示すフローチャートである。
【図８】Ｕ相負荷検査（その２）を示すフローチャートである。
【図９】Ｖ相負荷検査（その１）を示すフローチャートである。
【図１０】Ｖ相負荷検査（その２）を示すフローチャートである。
【図１１】Ｖ相負荷検査（その３）を示すフローチャートである。
【図１２】Ｖ相負荷検査（その４）を示すフローチャートである。
【発明を実施するための形態】
【００１５】
以下、本発明の実施形態について添付図面を参照して説明する。
なお、図面中の各要素は、発明の理解を容易にするために、適宜拡大、縮小又は簡略化されて描かれることがある。
【００１６】
図１は、本実施形態のコージェネレーションシステムＳの構成図である。
図１に示すように、本実施形態のコージェネレーションシステムＳは、ＰＣＳ（Power Conditioning System）１と、ＥＣＵ（電子制御装置）２と、補機３と、ＣＴ１センサ４１とＣＴ２センサ４２とを含み、系統電源９のＵ相配線９１、Ｖ相配線９２，Ｎ相配線９３に接続されている。この系統電源９は、コージェネレーションシステムＳと並列に家庭内負荷６にも接続されている。
【００１７】
ＰＣＳ１は、燃料電池である補機３の発電電力が系統電源９に逆潮流しないようにＥＣＵ２を制御する。更にＰＣＳ１は、例えば燃料電池である補機３の出力に対し、運転力率が一定となるように無効電力を出力して、Ｕ相配線９１、Ｖ相配線９２，Ｎ相配線９３の電圧変動を抑制する。更にＰＣＳ１は、ＣＴ１センサ４１とＣＴ２センサ４２のそれぞれの取り付け線と向きとを判定する判定部として動作する。
【００１８】
補機３は、燃料電池本体であり、この燃料電池で使用されるグローヒータであるＵ相負荷３１ｕとＶ相負荷３１ｖとを備える。Ｕ相負荷３１ｕはＵ−Ｎ相間に通電可能であり、Ｖ相負荷３１ｖはＶ−Ｎ相間に通電可能である。本実施形態では、燃料電池のグローヒータであるＵ相負荷３１ｕとＶ相負荷３１ｖとにより、ＣＴ１センサ４１とＣＴ２センサ４２の取り付け線と方向とを判定しているので、追加部品なしに、容易に判定が可能である。
ＥＣＵ２は、この補機３を制御する電子制御装置であり、例えばＵ相負荷３１ｕをＯＮ／ＯＦＦして通電と非通電とを切り替え、Ｖ相負荷３１ｖをＯＮ／ＯＦＦして通電と非通電とを切り替える。
【００１９】
ＣＴ１センサ４１は、第１の電流センサであり、ＰＣＳ１に接続される。図１にて、ＣＴ１センサ４１は、変流器であり、系統電源９から流入する電力潮流を正とするＵ相電流を計測する。このときのＣＴ１センサ４１の位置を、位置＃２という。また、系統電源９への逆潮流の方向を正とするＵ相電流を計測する位置にＣＴ１センサ４１やＣＴ２センサ４２が接続されているとき、これを位置＃１という。
【００２０】
ＣＴ２センサ４２は、第２の電流センサであり、ＰＣＳ１に接続される。図１にてＣＴ２センサ４２は、変流器であり、系統電源９から流入する電力潮流を正とするＶ相の電流を計測する。このときのＣＴ２センサ４２の位置を、位置＃４という。また、系統電源９への逆潮流の方向を正とするＵ相電流を計測する位置にＣＴ１センサ４１やＣＴ２センサ４２が接続されているとき、これを位置＃３という。
【００２１】
系統電源９から流入する電力潮流を正とするＮ相電流を計測する位置にＣＴ１センサ４１やＣＴ２センサ４２が接続されているとき、これを位置＃６という。また、系統電源９への逆潮流の方向を正とするＮ相電流を計測する位置にＣＴ１センサ４１やＣＴ２センサ４２が接続されているとき、これを位置＃５という。
【００２２】
システム設置後の試運転時に実施するＣＴ方向補正の目的は、ＣＴ１センサ４１とＣＴ２センサ４２の取り付け状態が正常かを検査し、ＣＴ１センサ４１とＣＴ２センサ４２の取り付け位置と方向を内部補正することである。このＣＴ方向補正の実施に際しては、ＥＣＵ２とＰＣＳ１との間で動作の協調が必要となる。以下に処理概要を示す。
【００２３】
最初、ユニット間通信（以下ＣＡＮ通信）により、ＥＣＵ２からＰＣＳ１へＣＴ方向補正実施の要求が送信される。ＰＣＳ１は、ＣＴ方向補正実施の要求を受信すると、ＥＣＵ２へ各相の負荷デバイスＯＮ／ＯＦＦ要求を行い、ＣＴ１センサ４１とＣＴ２センサ４２から検出される電流値と、系統電圧値から各相の電力演算を行う。この処理については、後記する図４で詳細に説明する。
【００２４】
ＰＣＳ１は、各相の電力演算の結果としてＣＴ取り付け状態が正常と判定されれば、取り付け箇所と方向を記憶する。またＰＣＳ１は、ＣＴ取り付け状態が正常と判定されなければ、誤配線として判定する。この処理については、後記する図７から図１２のフローチャートで説明する。
ＰＣＳ１は、ＣＴ方向補正を実施した結果を判定して、ＥＣＵ２に送信する。ＥＣＵ２は、ＰＣＳ１での判定結果により、ＣＴ方向補正実施の要求を取り下げて、該当する次工程を実施する。
【００２５】
図２は、ＣＴセンサの取り付け状態を示す図である。
図２に示すＣＴ取り付け状態は、図１に示した位置＃１〜＃６に対応している。
ＣＴ取り付け状態が位置＃１のときは、ＣＴ１センサ４１やＣＴ２センサ４２の取り付け相はＵ相であり、電力演算時の電流方向はマイナスである。ＣＴ取り付け状態が位置＃２のときは、ＣＴ１センサ４１やＣＴ２センサ４２の取り付け相はＵ相であり、電力演算時の電流方向はプラスである。
【００２６】
ＣＴ取り付け状態が位置＃３のときは、ＣＴ１センサ４１やＣＴ２センサ４２の取り付け相はＶ相であり、電力演算時の電流方向はマイナスである。ＣＴ取り付け状態が位置＃４のときは、ＣＴ１センサ４１やＣＴ２センサ４２の取り付け相はＶ相であり、電力演算時の電流方向はプラスである。
ＣＴ取り付け状態が位置＃５のときは、ＣＴ１センサ４１やＣＴ２センサ４２の取り付け相はＮ相であり、電力演算時の電流方向はマイナスである。ＣＴ取り付け状態が位置＃６のときは、ＣＴ１センサ４１やＣＴ２センサ４２の取り付け相はＮ相であり、電力演算時の電流方向はプラスである。
【００２７】
ＣＴ取り付け状態がその他のときは、ＣＴ１センサ４１やＣＴ２センサ４２の取り付け相はＵ相、Ｖ相、Ｎ相のいずれでもなく、電力演算時の電流方向はプラス／マイナスのいずれでもない。
【００２８】
図３は、許容可能なＣＴ１センサ４１とＣＴ２センサ４２の取り付け状態の組合せを示す図である。
状態は、Ａから始まるアルファベットがＨまで順に記載されており、各取り付け状態の組合せを示している。
状態Ａのとき、ＣＴ１センサ４１の取り付け状態は位置＃２であり、ＣＴ２センサ４２の取り付け状態は位置＃４である。この状態Ａは初期値であり、このように取り付けられることが想定されている。ＣＴ方向補正を完了していない状態で、ＰＣＳ１は、初期値としてＣＴ１センサ４１は位置＃２、ＣＴ２センサ４２は位置＃４として記憶している。ＣＴ方向補正にて検出されたＣＴ位置が、ＣＴ取り付け位置として許容できる組み合わせと判定できた場合、検出されたＣＴ位置を記憶する。状態Ａ以外に許容可能な組み合わせを以下の状態Ｂ〜Ｈに列挙する。
【００２９】
状態Ｂのとき、ＣＴ１センサ４１の取り付け状態は位置＃２であり、ＣＴ２センサ４２の取り付け状態は位置＃３である。
状態Ｃのとき、ＣＴ１センサ４１の取り付け状態は位置＃１であり、ＣＴ２センサ４２の取り付け状態は４である。状態Ｄのとき、ＣＴ１センサ４１の取り付け状態は位置＃１であり、ＣＴ２センサ４２の取り付け状態は位置＃３である。
【００３０】
状態Ｅのとき、ＣＴ１センサ４１の取り付け状態は４であり、ＣＴ２センサ４２の取り付け状態は位置＃２である。状態Ｆのとき、ＣＴ１センサ４１の取り付け状態は位置＃４であり、ＣＴ２センサ４２の取り付け状態は位置＃１である。
状態Ｇのとき、ＣＴ１センサ４１の取り付け状態は位置＃３であり、ＣＴ２センサ４２の取り付け状態は位置＃２である。状態Ｈのとき、ＣＴ１センサ４１の取り付け状態は位置＃３であり、ＣＴ２センサ４２の取り付け状態は位置＃１である。
これ以外の組合せのときには、本システムでは許容できない。よってＰＣＳ１は、検査の結果、許容できない組み合わせとなった場合、誤配線と判定してＥＣＵ２に通知する。
【００３１】
検査完了後、ＰＣＳ１が、ＥＣＵ２から再びＣＴ方向補正要求を受信した場合、記憶しているＣＴセンサ位置を破棄し、初期状態Ａに戻してからＣＴ方向補正動作を行う。ＰＣＳ１は、ＣＴ方向補正動作の時に、ＣＴ１センサ４１とＣＴ２センサ４２が初期状態にあるものとして電力演算を行う。ＰＣＳ１は、ＣＴ１センサ４１とＣＴ２センサ４２の取り付け状態が確定した後は、確定位置と組み合わせの電圧で、系統電力を算出する。
【００３２】
図４は、２電力の演算および方向の判定のためのタイミングチャートである。
これらタイミングチャートは、上から順に、ＰＣＳ１によるＵ相負荷３１ｕのＯＮ要求と、ＥＣＵ２によるＵ相負荷３１ｕの通電の有無と、ＰＣＳ１によるＶ相負荷３１ｖのＯＮ要求と、ＥＣＵ２によるＶ相負荷３１ｖの通電の有無とを示している。
期間ｔ２は負荷ＯＦＦ期間である。
【００３３】
期間ｔ１ｕは、ＰＣＳ１がＵ相負荷３１ｕのＯＮを要求する期間であり、期間ｔ１ｖは、ＰＣＳ１がＶ相負荷３１ｖのＯＮを要求する期間である。期間ｔ１ｕ，ｔ１ｖは、最少１．０秒とし、乱数を用いてランダムに０．１秒単位で１．０秒〜２．０秒とする。また、ＰＣＳ１は、Ｕ相負荷３１ｕのＯＮとＶ相負荷３１ｖのＯＮとを同時に要求しない。
期間ｔ２は、ＰＣＳ１による負荷ＯＦＦを要求する期間である。期間ｔ２は、最少１．０秒とし、乱数を用いてランダムに０．１秒単位で１．０秒〜２．０秒とする。このようにＰＣＳ１は、乱数を用いてランダムにＵ相負荷３１ｕとＶ相負荷３１ｖの通電タイミングを決定している。これにより家庭用負荷６が動作中であっても、この家庭用負荷６に流れる電流との同期を避けて、Ｕ相負荷３１ｕのＯＮによりＣＴ１センサ４１やＣＴ２センサ４２を通電する電力と、Ｖ相負荷３１ｖのＯＮによりＣＴ１センサ４１やＣＴ２センサ４２を通電する電力とを、より正確に測定可能である。
【００３４】
期間ｔ３ｕは、ＰＣＳ１がＵ相負荷３１ｕのＯＮを要求する前の０．５秒間である。この期間ｔ３ｕにてＰＣＳ１は、ＣＴ１センサ４１とＣＴ２センサ４２とにより、０．５秒間に相当するサイクル数の電流を計測し、Ｕ相負荷３１ｕのＯＦＦ電力として算出する。
期間ｔ４ｕは、ＰＣＳ１がＵ相負荷３１ｕのＯＦＦを要求する前の０．５秒間である。この期間ｔ４ｕにてＰＣＳ１は、ＣＴ１センサ４１とＣＴ２センサ４２とにより、０．５秒間に相当するサイクル数の電流を計測し、Ｕ相負荷３１ｕのＯＮ電力として算出する。
次いでＰＣＳ１は、ＣＴ１センサ４１によるＵ相負荷３１ｕのＯＮ電力とＯＦＦ電力との偏差と、ＣＴ２センサ４２によるＵ相負荷３１ｕのＯＮ電力とＯＦＦ電力との偏差とを算出する。
【００３５】
期間ｔ３ｖは、ＰＣＳ１がＶ相負荷３１ｖにＯＮ要求する前の０．５秒間である。この期間ｔ３ｕにて、ＰＣＳ１は、ＣＴ１センサ４１とＣＴ２センサ４２とにより、０．５秒間に相当するサイクル数の電流を計測し、Ｖ相負荷３１ｖのＯＦＦ電力として算出する。
期間ｔ４ｖは、ＰＣＳ１がＶ相負荷３１ｖにＯＦＦ要求する前の０．５秒間である。この期間ｔ４ｖにて、ＰＣＳ１は、ＣＴ１センサ４１とＣＴ２センサ４２とにより、０．５秒間に相当するサイクル数の電流を計測し、Ｖ相負荷３１ｖのＯＮ電力として算出する。次いでＰＣＳ１は、ＣＴ１センサ４１によるＶ相負荷３１ｖのＯＮ電力とＯＦＦ電力との偏差を算出し、ＣＴ２センサ４２によるＶ相負荷３１ｖのＯＮ電力とＯＦＦ電力との偏差を算出する。
【００３６】
ＰＣＳ１は、ＣＴ１センサ４１とＣＴ２センサ４２とによるＵ相負荷３１ｕのＯＮ電力とＯＦＦ電力との偏差の算出と、Ｖ相負荷３１ｖのＯＮ電力とＯＦＦ電力との偏差の算出とを所定回数だけ繰り返して、Ｕ相負荷３１ｕとＶ相負荷３１ｖの各電力偏差の平均値（Ｕ相：Ｐｕ、Ｖ相：Ｐｖ）を算出する。
【００３７】
ＰＣＳ１は、ＣＴ１センサ４１による各電力偏差の平均値の絶対値が規定値以上ならば、ＣＴ１センサ４１に「通電あり」と判定する。ＣＴ１センサ４１による各電力偏差の平均値の絶対値が規定値未満の場合は、「通電なし」と判定する。ＰＣＳ１は更に、ＣＴ１センサ４１による各電力偏差の平均値の正負により、ＣＴ１センサ４１の取り付け方向を判定する。
【００３８】
また、ＰＣＳ１は、ＣＴ２センサ４２による各電力偏差の平均値の絶対値が規定値以上ならば、ＣＴ２センサ４２に「通電あり」と判定する。ＣＴ２センサ４２による各電力偏差の平均値の絶対値が規定値未満の場合は、「通電なし」と判定する。ＰＣＳ１は更に、ＣＴ１センサ４１による各電力偏差の平均値の正負により、ＣＴ１センサ４１の取り付け方向を判定する。
このような判定により、ＰＣＳ１は、ＣＴ１センサ４１とＣＴ２センサ４２の取り付け状態を判定して、記憶する。ＰＣＳ１は、繰り返し所定回数実施しても判定できない場合、誤配線と判定してＥＣＵ２にエラーを通知する。
なおＰＣＳ１は、期間ｔ３ｕ、期間ｔ４ｕ、期間ｔ３ｖ、および期間ｔ４ｖを、乱数を用いてランダムに決定してもよい。これにより家庭用負荷６が動作中であっても、この家庭用負荷６に流れる電流との同期を避けて、Ｕ相負荷３１ｕのＯＮによりＣＴ１センサ４１やＣＴ２センサ４２を通電する電力と、Ｖ相負荷３１ｖのＯＮによりＣＴ１センサ４１やＣＴ２センサ４２を通電する電力とを、より正確に測定可能である。
【００３９】
図５は、ＥＣＵ２−ＰＣＳ１のユニット間の正常時の動作を示すシーケンス図である。
これらシーケンス図は、上から順に、ＥＣＵ２によるＣＴ方向補正実施要求と、ＣＴ方向補正制御状態と、ＥＣＵ２によるＵ相負荷３１ｕのＯＮ／ＯＦＦと、Ｖ相負荷３１ｖのＯＮ／ＯＦＦとが示されている。更にその下には、ＰＣＳ１の状態を示す正常完了／実施中／要求受け付け中／受け付け禁止と、ＰＣＳ１によるＵ相負荷３１ｕのＯＮ要求と、Ｖ相負荷３１ｖのＯＮ要求と、ＰＣＳ１が判定する異常とが示されている。
【００４０】
時刻Ｔ０にてＰＣＳ１は、受け付け禁止状態でありＣＴ方向補正実施が不可能なので、ＥＣＵ２に受け付け禁止情報を送信する。
時刻Ｔ１にてＰＣＳ１は、待機状態に遷移しておりＣＴ方向補正実施が可能なので、ＥＣＵ２に受け付け中情報を送信する。これによりＥＣＵ２には、ＣＴ方向補正要求が設定される。
時刻Ｔ２はＥＣＵ２のＣＴ方向補正の実施タイミングである。この時刻Ｔ２にてＰＣＳ１の状態は要求受け付け中なので、ＥＣＵ２は、ＣＴ方向補正実施要求をＰＣＳ１に送信する。
ＰＣＳ１は、ＥＣＵ２からのＣＴ方向補正実施要求を受信すると、時刻Ｔ３にてＣＴ方向補正実施中情報をＥＣＵ２に送信する。
【００４１】
時刻Ｔ４ａにてＰＣＳ１は、ＥＣＵ２がＣＴ方向補正制御状態であることを確認した後、ＰＣＳ１は各相の負荷ＯＮ要求と負荷ＯＦＦ要求とをＥＣＵ２へ送信する。以降時刻Ｔ４ａから時刻Ｔ４ｆまでの期間Ｔ４にて、ＰＣＳ１は各相負荷をＯＮ／ＯＦＦしてＣＴ１センサ４１とＣＴ２センサ４２を計測する。
時刻Ｔ４ｂにてＰＣＳ１は、Ｕ相負荷３１ｕのＯＮ要求をＥＣＵ２に送信する。ＥＣＵ２はＵ相負荷３１ｕをＯＮして負荷状態を送信し、ＰＣＳ１は、ＣＴ１センサ４１とＣＴ２センサ４２を計測する。
時刻Ｔ４ｃにてＰＣＳ１は、Ｕ相負荷３１ｕのＯＦＦ要求をＥＣＵ２に送信する。ＥＣＵ２はＵ相負荷３１ｕをＯＦＦして負荷状態を送信し、ＰＣＳ１は、ＣＴ１センサ４１とＣＴ２センサ４２を計測する。
【００４２】
時刻Ｔ４ｄにてＰＣＳ１は、Ｖ相負荷３１ｖのＯＮ要求をＥＣＵ２に送信する。ＥＣＵ２はＶ相負荷３１ｖをＯＮして負荷状態を送信し、ＰＣＳ１は、ＣＴ１センサ４１とＣＴ２センサ４２を計測する。
時刻Ｔ４ｅにてＰＣＳ１は、Ｖ相負荷３１ｖのＯＦＦ要求をＥＣＵ２に送信する。ＥＣＵ２はＶ相負荷３１ｖをＯＦＦして負荷状態を送信し、ＰＣＳ１は、ＣＴ１センサ４１とＣＴ２センサ４２を計測する。
時刻Ｔ４ｆにてＰＣＳ１は、これら計測結果に基づき、結果判定を行う。図５にてＰＣＳ１は、結果が正常であると判定するので、時刻Ｔ５にて正常完了をＥＣＵ２に送信する。
【００４３】
時刻Ｔ５にてＰＣＳ１からの正常完了を受信した後、ＥＣＵ２は、ＣＴ方向補正要求とＣＴ方向補正制御状態をクリアする。
時刻Ｔ６にてＰＣＳ１は、ＣＴ方向補正要求とＣＴ方向補正制御状態とがクリアされたことを確認したならば要求受け付け中状態へ遷移する。
ＰＣＳ１は、待機時において、自己診断中などの処理中の期間を除き、基本的にはＣＴ方向補正実施状態を受け付け中状態とし、連系発電状態、自立発電、エラー発生時においてはＣＴ方向補正実施状態を受け付け禁止状態とする。
【００４４】
図６は、ＥＣＵ２−ＰＣＳ１の両ユニット間の異常検知時の動作を示すシーケンス図である。
時刻Ｔ０から時刻Ｔ４ｅまでのＥＣＵ２とＰＣＳ１の動作は、図５に示した正常検知時の動作と同様である。
時刻Ｔ４ｆにてＰＣＳ１は、これら計測結果に基づき、結果判定を行う。図６にてＰＣＳ１は、結果が異常であると判定するので、時刻Ｔ５にて該当するエラー情報をＥＣＵ２に送信する。
時刻Ｔ５にてＥＣＵ２は、ＰＣＳ１からのＣＴ方向補正異常を受信すると、ＣＴ方向補正要求とＣＴ方向補正制御状態とをクリアし、エラー処理を実施する。
ＰＣＳ１は、ＣＴ方向補正要求とＣＴ方向補正制御状態とがクリアされたことを確認したならば受け付け禁止状態へ遷移し、以降はエラー処理を実施する。
【００４５】
図７は、Ｕ相負荷検査（その１）を示すフローチャートである。
ＰＣＳ１は、図７〜図１２に示すフローに従い、ＣＴ１センサ４１とＣＴ２センサ４２の取り付け位置判別を開始する。ＣＴ１センサ４１とＣＴ２センサ４２の取り付け位置は、ＥＣＵ２で制御されるＵ相負荷３１ｕとＶ相負荷３１ｖとを使用して、通電電流の大きさと認識される電力値より、取り付け線と向きとを判定する。
【００４６】
ＰＣＳ１は、ＣＴ１センサ４１とＣＴ２センサ４２とにより、Ｕ相負荷３１ｕのＯＮ時の電流とＯＦＦ時の電流とを計測し、Ｕ相負荷３１ｕのＯＮ電力とＯＦＦ電力を求め、このＯＮ電力とＯＦＦ電力との偏差を算出する（ステップＳ１０）。
ＰＣＳ１は、ＣＴ１センサ４１のＯＮ電力とＯＦＦ電力との偏差の絶対値が閾値以下のとき、Ｕ相負荷３１ｕを流れる電流がＣＴ１センサ４１を通電していないと判定し（ステップＳ１１→Ｎｏ）、図８のステップＳ３０の処理に進む。
ＰＣＳ１は、ＣＴ１センサ４１のＯＮ電力とＯＦＦ電力との偏差の絶対値が閾値を超えていたとき、Ｕ相負荷３１ｕを流れる電流がＣＴ１センサ４１を通電したと判定し（ステップＳ１１→Ｙｅｓ）、ステップＳ１２の処理に進む。
【００４７】
ステップＳ１２にてＰＣＳ１は、ＣＴ１センサ４１を通電してＵ相負荷３１ｕで消費された電力１が正ならば（ステップＳ１２→Ｙｅｓ）、ＣＴ１センサ４１の状態が位置＃２または位置＃６であると判定し（ステップＳ１３）、ステップＳ１４の処理に進む。ＰＣＳ１は、ＣＴ１センサ４１を通電してＵ相負荷３１ｕで消費された電力１が負ならば（ステップＳ１２→Ｎｏ）、ＣＴ１センサ４１の状態が位置＃１または位置＃５であると判定し（ステップＳ１８）、ステップＳ１９の処理に進む。
【００４８】
ステップＳ１４にてＰＣＳ１は、ＣＴ２センサ４２のＯＮ電力とＯＦＦ電力との偏差の絶対値が閾値を超えていたとき、Ｕ相負荷３１ｕを流れる電流がＣＴ２センサ４２を通電したと判定し（ステップＳ１４→Ｙｅｓ）、ＣＴ２センサ４２の状態が位置＃１，＃２，＃５または位置＃６のいずれかと判定する（ステップＳ１５）。これは許容できない組合せなので、ＰＣＳ１は繰返回数に１を加算し（ステップＳ１６）、ステップＳ２３のエラー処理に進む。
【００４９】
ステップＳ１４にてＰＣＳ１は、ＣＴ２センサ４２のＯＮ電力とＯＦＦ電力との偏差の絶対値が閾値以下のとき、Ｕ相負荷３１ｕを流れる電流がＣＴ２センサ４２を通電していないと判定し（ステップＳ１４→Ｎｏ）、ＣＴ２センサ４２の状態が位置＃３，＃４または「その他」のいずれかと判定し（ステップＳ１７）、図９のステップＳ４０の処理に進む。
【００５０】
ステップＳ１９にてＰＣＳ１は、ＣＴ２センサ４２のＯＮ電力とＯＦＦ電力との偏差の絶対値が閾値を超えていたとき、Ｕ相負荷３１ｕを流れる電流がＣＴ２センサ４２を通電したと判定し（ステップＳ１９→Ｙｅｓ）、ＣＴ２センサ４２の状態は位置＃１，＃２，＃５または位置＃６のいずれかと判定する（ステップＳ２０）。これは許容できない組合せなので、ＰＣＳ１は繰返回数に１を加算し（ステップＳ２１）、ステップＳ２３のエラー処理に進む。
【００５１】
ステップＳ１９にてＰＣＳ１は、ＣＴ２センサ４２のＯＮ電力とＯＦＦ電力との偏差の絶対値が閾値以下のとき、Ｕ相負荷３１ｕを流れる電流がＣＴ２センサ４２を通電していないと判定し（ステップＳ１９→Ｎｏ）、ＣＴ２センサ４２の状態が位置＃３，＃４またはその他のいずれかと判定し（ステップＳ２２）、図１０のステップＳ６０の処理に進む。
【００５２】
ステップＳ２３のエラー処理にてＰＣＳ１は、繰返回数が所定回数を超過していないならば（ステップＳ２３→Ｎｏ）、再びステップＳ１０のＵ相負荷検査を行い、繰返回数が閾値を超過していたならば（ステップＳ２３→Ｙｅｓ）、誤配線と判定して（ステップＳ２４），このＣＴ方向補正の処理を異常終了する。
【００５３】
負荷検査は家庭内負荷６の動作状況によっても検出結果が変化する可能性がある。そのため、ＰＣＳ１は、許容できない組み合わせ結果となっても、検査実施回数で定められた所定回数は、ＣＴ取り付け方向の確認動作を行う。ＰＣＳ１は、負荷検査を所定回数だけ繰り返しても、許容可能な組み合わせにならなかった場合、誤配線判定を行ってＥＣＵ２に通知する。
【００５４】
図８は、Ｕ相負荷検査（その２）を示すフローチャートである。
ステップＳ３０にてＰＣＳ１は、ＣＴ１センサ４１の状態が位置＃３，＃４または「その他」のいずれかであると判定する。
【００５５】
ステップＳ３１にてＰＣＳ１は、ＣＴ２センサ４２のＯＮ電力とＯＦＦ電力との偏差の絶対値が閾値以下のとき、Ｕ相負荷３１ｕを流れる電流がＣＴ２センサ４２を通電していないと判定し（ステップＳ３１→Ｎｏ）、ＣＴ２センサ４２の状態は位置＃３，＃４または「その他」であると判定する（ステップＳ３５）。これは許容できない組合せなので、ＰＣＳ１は繰返回数に１を加算し（ステップＳ３６）、ステップＳ２３（図７参照）のエラー処理に進む。
【００５６】
ステップＳ３１にてＰＣＳ１は、ＣＴ２センサ４２のＯＮ電力とＯＦＦ電力との偏差の絶対値が閾値を超えていたとき、Ｕ相負荷３１ｕを流れる電流がＣＴ２センサ４２を通電したと判定し（ステップＳ３１→Ｙｅｓ）、ステップＳ３２の処理に進む。
【００５７】
ステップＳ３２にてＰＣＳ１は、ＣＴ２センサ４２を通電してＵ相負荷３１ｕで消費された電力２が正ならば（ステップＳ３２→Ｙｅｓ）、ＣＴ２センサ４２の状態が位置＃２または位置＃６であると判定し（ステップＳ３３）、図１１のステップＳ８０の処理に進む。ＰＣＳ１は、ＣＴ２センサ４２を通電してＵ相負荷３１ｕで消費された電力２が負ならば（ステップＳ３２→Ｎｏ）、ＣＴ２センサ４２の状態が位置＃１または位置＃５であると判定し（ステップＳ３４）、図１２のステップＳ１００の処理に進む。
【００５８】
図９は、Ｖ相負荷検査（その１）を示すフローチャートである。
ステップＳ４０にてＰＣＳ１は、ＣＴ１センサ４１とＣＴ２センサ４２とにより、Ｖ相負荷３１ｖのＯＮ時の電流とＯＦＦ時の電流とを計測し、Ｖ相負荷３１ｖのＯＮ電力とＯＦＦ電力を求め、このＯＮ電力とＯＦＦ電力との偏差を算出する。
【００５９】
ＰＣＳ１は、ＣＴ１センサ４１のＯＮ電力とＯＦＦ電力との偏差の絶対値が閾値を超えていたとき、Ｖ相負荷３１ｖを流れる電流がＣＴ１センサ４１を通電したと判定し（ステップＳ４１→Ｙｅｓ）、ＣＴ１センサ４１の状態が位置＃６であると判定する（ステップＳ４２）。これは許容できない組合せなので、ＰＣＳ１は繰返回数に１を加算し（ステップＳ４３）、ステップＳ２３（図７参照）のエラー処理に進む。
【００６０】
ＰＣＳ１は、ＣＴ１センサ４１のＯＮ電力とＯＦＦ電力との偏差の絶対値が閾値以下のとき、Ｖ相負荷３１ｖを流れる電流がＣＴ１センサ４１を通電していないと判定し（ステップＳ４１→Ｎｏ）、ＣＴ１センサ４１の状態が位置＃２であると判定し（ステップＳ４４）、ステップＳ４５の処理に進む。
【００６１】
ステップＳ４５にてＰＣＳ１は、ＣＴ２センサ４２のＯＮ電力とＯＦＦ電力との偏差の絶対値が閾値以下のとき、Ｖ相負荷３１ｖを流れる電流がＣＴ２センサ４２を通電していないと判定し（ステップＳ４５→Ｎｏ）、ＣＴ２センサ４２の状態が「その他」であると判定する（ステップＳ５０）これは許容できない組合せなので、ＰＣＳ１は繰返回数に１を加算し（ステップＳ５１）、ステップＳ２３（図７参照）のエラー処理に進む。
【００６２】
ステップＳ４５にてＰＣＳ１は、ＣＴ２センサ４２のＯＮ電力とＯＦＦ電力との偏差の絶対値が閾値を超えていたとき、Ｖ相負荷３１ｖを流れる電流がＣＴ２センサ４２を通電したと判定し（ステップＳ４５→Ｙｅｓ）、ＣＴ２センサ４２の状態が位置＃３または位置＃４であると判定し（ステップＳ４６）、ステップＳ４７の処理に進む。
ステップＳ４７にてＰＣＳ１は、ＣＴ２センサ４２を通電してＶ相負荷３１ｖで消費された電力２が正ならば（ステップＳ４７→Ｙｅｓ）、ＣＴ２センサ４２の状態が位置＃４であると判定し（ステップＳ４８）、処理を正常終了する。このときＣＴ１センサ４１の状態は、位置＃２であると判定されている。
【００６３】
ステップＳ４７にてＰＣＳ１は、ＣＴ２センサ４２を通電してＶ相負荷３１ｖで消費された電力２が負ならば（ステップＳ４７→Ｎｏ）、ＣＴ１センサ４１の状態が位置＃３であると判定し（ステップＳ４９）、処理を正常終了する。このときＣＴ１センサ４１の状態は、位置＃２であると判定されている。
【００６４】
図１０は、Ｖ相負荷検査（その２）を示すフローチャートである。
ステップＳ６０にてＰＣＳ１は、ＣＴ１センサ４１とＣＴ２センサ４２とにより、Ｖ相負荷３１ｖのＯＮ時の電流とＯＦＦ時の電流とを計測し、Ｖ相負荷３１ｖのＯＮ電力とＯＦＦ電力を求め、このＯＮ電力とＯＦＦ電力との偏差を算出する。
【００６５】
ＰＣＳ１は、ＣＴ１センサ４１のＯＮ電力とＯＦＦ電力との偏差の絶対値が閾値を超えていたとき、Ｖ相負荷３１ｖを流れる電流がＣＴ１センサ４１を通電したと判定し（ステップＳ６１→Ｙｅｓ）、ＣＴ１センサ４１の状態が位置＃５であると判定する（ステップＳ６２）。これは許容できない組合せなので、ＰＣＳ１は繰返回数に１を加算し（ステップＳ６３）、ステップＳ２３（図７参照）のエラー処理に進む。
【００６６】
ＰＣＳ１は、ＣＴ１センサ４１のＯＮ電力とＯＦＦ電力との偏差の絶対値が閾値以下のとき、Ｖ相負荷３１ｖを流れる電流がＣＴ１センサ４１を通電していないと判定し（ステップＳ６１→Ｎｏ）、ＣＴ１センサ４１の状態が位置＃１であると判定し（ステップＳ６４）、ステップＳ６５の処理に進む。
【００６７】
ステップＳ６５にてＰＣＳ１は、ＣＴ２センサ４２のＯＮ電力とＯＦＦ電力との偏差の絶対値が閾値以下のとき、Ｖ相負荷３１ｖを流れる電流がＣＴ２センサ４２を通電していないと判定し（ステップＳ６５→Ｎｏ）、ＣＴ２センサ４２の状態が「その他」であると判定する（ステップＳ７０）これは許容できない組合せなので、ＰＣＳ１は繰返回数に１を加算し（ステップＳ７１）、ステップＳ２３（図７参照）のエラー処理に進む。
【００６８】
ステップＳ６５にてＰＣＳ１は、ＣＴ２センサ４２のＯＮ電力とＯＦＦ電力との偏差の絶対値が閾値を超えていたとき、Ｖ相負荷３１ｖを流れる電流がＣＴ２センサ４２を通電したと判定し（ステップＳ６５→Ｙｅｓ）、ＣＴ２センサ４２の状態が位置＃３または位置＃４であると判定し（ステップＳ６６）、ステップＳ６７の処理に進む。
【００６９】
ステップＳ６７にてＰＣＳ１は、ＣＴ２センサ４２を通電してＶ相負荷３１ｖで消費された電力２が正ならば（ステップＳ６７→Ｙｅｓ）、ＣＴ２センサ４２の状態が位置＃４であると判定し（ステップＳ６８）、処理を正常終了する。このときＣＴ１センサ４１の状態は、位置＃１であると判定されている。
ステップＳ６７にてＰＣＳ１は、ＣＴ２センサ４２を通電してＶ相負荷３１ｖで消費された電力２が負ならば（ステップＳ６７→Ｎｏ）、ＣＴ１センサ４１の状態が位置＃３であると判定し（ステップＳ６９）、処理を正常終了する。このときＣＴ１センサ４１の状態は、位置＃１であると判定されている。
【００７０】
図１１は、Ｖ相負荷検査（その３）を示すフローチャートである。
ステップＳ８０にてＰＣＳ１は、ＣＴ１センサ４１とＣＴ２センサ４２とにより、Ｖ相負荷３１ｖのＯＮ時の電流とＯＦＦ時の電流とを計測し、Ｖ相負荷３１ｖのＯＮ電力とＯＦＦ電力を求め、このＯＮ電力とＯＦＦ電力との偏差を算出する。
【００７１】
ステップＳ８１にてＰＣＳ１は、ＣＴ１センサ４１のＯＮ電力とＯＦＦ電力との偏差の絶対値が閾値以下のとき、Ｖ相負荷３１ｖを流れる電流がＣＴ１センサ４１を通電していないと判定し（ステップＳ８１→Ｎｏ）、ＣＴ１センサ４１の状態が「その他」であると判定する（ステップＳ９３）。これは許容できない組合せなので、ＰＣＳ１は繰返回数に１を加算し（ステップＳ９４）、ステップＳ２３（図７参照）のエラー処理に進む。
ステップＳ８１にてＰＣＳ１は、ＣＴ１センサ４１のＯＮ電力とＯＦＦ電力との偏差の絶対値が閾値を超えていたとき、Ｖ相負荷３１ｖを流れる電流がＣＴ１センサ４１を通電したと判定し（ステップＳ８１→Ｙｅｓ）、ステップＳ８２の処理に進む。
【００７２】
ステップＳ８２にてＰＣＳ１は、ＣＴ１センサ４１を通電してＶ相負荷３１ｖで消費された電力１が正ならば（ステップＳ８２→Ｙｅｓ）、ＣＴ２センサ４２の状態が位置＃４であると判定し（ステップＳ８３）、ステップＳ８４の処理に進む。ＰＣＳ１は、ＣＴ１センサ４１を通電してＶ相負荷３１ｖで消費された電力１が負ならば（ステップＳ８２→Ｎｏ）、ＣＴ２センサ４２の状態が位置＃３であると判定し（ステップＳ８８）、ステップＳ８９の処理に進む。
【００７３】
ステップＳ８４にてＰＣＳ１は、ＣＴ２センサ４２のＯＮ電力とＯＦＦ電力との偏差の絶対値が閾値を超えていたとき、Ｖ相負荷３１ｖを流れる電流がＣＴ２センサ４２を通電したと判定し（ステップＳ８４→Ｙｅｓ）、ＣＴ２センサ４２の状態が位置＃６であると判定する（ステップＳ８５）。これは許容できない組合せなので、ＰＣＳ１は繰返回数に１を加算し（ステップＳ８６）、ステップＳ２３（図７参照）のエラー処理に進む。
【００７４】
ステップＳ８４にてＰＣＳ１は、ＣＴ２センサ４２のＯＮ電力とＯＦＦ電力との偏差の絶対値が閾値以下のとき、Ｖ相負荷３１ｖを流れる電流がＣＴ２センサ４２を通電していないと判定し（ステップＳ８４→Ｎｏ）、ＣＴ２センサ４２の状態が位置＃２であると判定し（ステップＳ８７）、処理を正常終了する。このときＣＴ１センサ４１の状態は、位置＃４であると判定されている。
【００７５】
ステップＳ８９にてＰＣＳ１は、ＣＴ２センサ４２のＯＮ電力とＯＦＦ電力との偏差の絶対値が閾値を超えていたとき、Ｖ相負荷３１ｖを流れる電流がＣＴ２センサ４２を通電したと判定し（ステップＳ８９→Ｙｅｓ）、ＣＴ２センサ４２の状態が位置＃６であると判定する（ステップＳ９０）。これは許容できない組合せなので、ＰＣＳ１は繰返回数に１を加算し（ステップＳ９１）、ステップＳ２３（図７参照）のエラー処理に進む。
【００７６】
ステップＳ８９にてＰＣＳ１は、ＣＴ２センサ４２のＯＮ電力とＯＦＦ電力との偏差の絶対値が閾値以下のとき、Ｖ相負荷３１ｖを流れる電流がＣＴ２センサ４２を通電していないと判定し（ステップＳ８９→Ｎｏ）、ＣＴ２センサ４２の状態が位置＃２であると判定し（ステップＳ９２）、処理を正常終了する。このときＣＴ１センサ４１の状態は、位置＃３であると判定されている。
【００７７】
図１２は、Ｖ相負荷検査（その４）を示すフローチャートである。
ステップＳ１００にてＰＣＳ１は、ＣＴ１センサ４１とＣＴ２センサ４２とにより、Ｖ相負荷３１ｖのＯＮ時の電流とＯＦＦ時の電流とを計測し、Ｖ相負荷３１ｖのＯＮ電力とＯＦＦ電力を求め、このＯＮ電力とＯＦＦ電力との偏差を算出する。
【００７８】
ステップＳ１０１にてＰＣＳ１は、ＣＴ１センサ４１のＯＮ電力とＯＦＦ電力との偏差の絶対値が閾値以下のとき、Ｖ相負荷３１ｖを流れる電流がＣＴ１センサ４１を通電していないと判定し（ステップＳ１０１→Ｎｏ）、ＣＴ１センサ４１の状態が「その他」であると判定する（ステップＳ１１３）。これは許容できない組合せなので、ＰＣＳ１は繰返回数に１を加算し（ステップＳ１１４）、ステップＳ２３（図７参照）のエラー処理に進む。
ステップＳ１０１にてＰＣＳ１は、ＣＴ１センサ４１のＯＮ電力とＯＦＦ電力との偏差の絶対値が閾値を超えていたとき、Ｖ相負荷３１ｖを流れる電流がＣＴ１センサ４１を通電したと判定し（ステップＳ１０１→Ｙｅｓ）、ステップＳ１０２の処理に進む。
【００７９】
ステップＳ１０２にてＰＣＳ１は、ＣＴ１センサ４１を通電してＶ相負荷３１ｖで消費された電力１が正ならば（ステップＳ１０２→Ｙｅｓ）、ＣＴ２センサ４２の状態が位置＃４であると判定し（ステップＳ１０３）、ステップＳ１０４の処理に進む。ＰＣＳ１は、ＣＴ１センサ４１を通電してＶ相負荷３１ｖで消費された電力１が負ならば（ステップＳ１０２→Ｎｏ）、ＣＴ２センサ４２の状態が位置＃３であると判定し（ステップＳ１０８）、ステップＳ１０９の処理に進む。
【００８０】
ステップＳ１０４にてＰＣＳ１は、ＣＴ２センサ４２のＯＮ電力とＯＦＦ電力との偏差の絶対値が閾値を超えていたとき、Ｖ相負荷３１ｖを流れる電流がＣＴ２センサ４２を通電したと判定し（ステップＳ１０４→Ｙｅｓ）、ＣＴ２センサ４２の状態が位置＃５であると判定する（ステップＳ１０５）。これは許容できない組合せなので、ＰＣＳ１は繰返回数に１を加算し（ステップＳ１０６）、ステップＳ２３（図７参照）のエラー処理に進む。
【００８１】
ステップＳ１０４にてＰＣＳ１は、ＣＴ２センサ４２のＯＮ電力とＯＦＦ電力との偏差の絶対値が閾値以下のとき、Ｖ相負荷３１ｖを流れる電流がＣＴ２センサ４２を通電していないと判定し（ステップＳ１０４→Ｎｏ）、ＣＴ２センサ４２の状態が位置＃１であると判定し（ステップＳ１０７）、処理を正常終了する。このときＣＴ１センサ４１の状態は、位置＃４であると判定されている。
【００８２】
ステップＳ１０９にてＰＣＳ１は、ＣＴ２センサ４２のＯＮ電力とＯＦＦ電力との偏差の絶対値が閾値を超えていたとき、Ｖ相負荷３１ｖを流れる電流がＣＴ２センサ４２を通電したと判定し（ステップＳ１０９→Ｙｅｓ）、ＣＴ２センサ４２の状態が位置＃５であると判定する（ステップＳ１１０）。これは許容できない組合せなので、ＰＣＳ１は繰返回数に１を加算し（ステップＳ１１１）、ステップＳ２３（図７参照）のエラー処理に進む。
【００８３】
ステップＳ１０９にてＰＣＳ１は、ＣＴ２センサ４２のＯＮ電力とＯＦＦ電力との偏差の絶対値が閾値以下のとき、Ｖ相負荷３１ｖを流れる電流がＣＴ２センサ４２を通電していないと判定し（ステップＳ１０９→Ｎｏ）、ＣＴ２センサ４２の状態が位置＃１であると判定し（ステップＳ１１２）、処理を正常終了する。このときＣＴ１センサ４１の状態は、位置＃３であると判定されている。
【００８４】
上述したように、本実施形態のコージェネレーションシステム（Ｓ）は、家庭内負荷（６）に接続される交流を構成するＵ，Ｎ，Ｖ相のうち何れかに何れかの向きでそれぞれ取り付けられる第１、第２の電流センサ（４１，４２）と、前記交流のＵ−Ｎ相間に通電可能なＵ相負荷（３１ｕ）と、前記交流のＶ−Ｎ相間に通電可能なＶ相負荷（３１ｖ）と、前記Ｕ相負荷（３１ｕ）に通電させていないときの各前記第１，第２の電流センサ（４１，４２）の計測結果と前記Ｕ相負荷（３１ｕ）に通電させたときの各前記第１，第２の電流センサ（４１，４２）の計測結果との偏差から、各前記第１，第２の電流センサ（４１，４２）の前記Ｕ相負荷（３１ｕ）による通電の有無と通電方向とを判定し、前記Ｖ相負荷（３１ｖ）に通電させていないときの各前記第１，第２の電流センサ（４１，４２）の計測結果と前記Ｖ相負荷（３１ｖ）に通電させたときの各前記第１，第２の電流センサ（４１，４２）の計測結果との偏差から、各前記第１，第２の電流センサ（４１，４２）の前記Ｖ相負荷（３１ｖ）による通電の有無と通電方向とを判定して、前記第１、第２の電流センサ（４１，４２）それぞれの取り付け線と向きとを判定する判定部（１）とを備える。
【００８５】
したがって、本実施形態によれば、容易にＣＴ１センサ４１とＣＴ２センサ４２の取り付け位置の判定が可能となる。また、ＣＴ１センサ４１とＣＴ２センサ４２の取り付け位置が許容できない場合には、エラーを通知することができる。
【００８６】
本実施形態では、燃料電池システムで使用する２個の１００Ｖ負荷（グローヒータ）をＵ−Ｎ相とＶ−Ｎ相に接続して、これをＵ相負荷３１ｕとＶ相負荷３１ｖとしている。よって、追加のデバイスなしで、ＣＴ１センサ４１とＣＴ２センサ４２の取り付け線と向きとを判定可能である。また、同一の負荷（グローヒータ）を用いることで、負荷電流がＵ相とＶ相とで同レベルとなり、より確実な判定が可能となる。
更に、負荷通電時間と負荷通電タイミングに乱数を用いることにより、配電盤に接続されている家庭用負荷６の電流との同期を避け、より正確にＣＴ１センサ４１とＣＴ２センサ４２の取り付け線と向きとを判定可能である。よって、家庭用負荷６を停止することなく判定可能である。
【００８７】
以上、本発明について、実施形態に基づいて説明したが、本発明は、上記実施形態に記載した構成に限定されるものではなく、実施形態に記載した構成を適宜組み合わせ乃至選択することを含め、その趣旨を逸脱しない範囲において適宜その構成を変更することができるものである。
【００８８】
例えば、上記実施形態でＣＴ１センサ４１とＣＴ２センサ４２とは検流器であったが、電流センサであればよく、例えばホールセンサでもよい。
上記実施形態でコージェネレーションシステムＳは燃料電池によって発電するものであったが、他の発電形態であってもよく、限定されない。また、Ｕ相負荷３１ｕとＶ相負荷３１ｖとは、燃料電池のグローヒータに限定されず、任意の発電形態で用いられる負荷であればよい。
【符号の説明】
【００８９】
Ｓ  コージェネレーションシステム
１  ＰＣＳ  （Power Conditioning System：判定部）
２  ＥＣＵ  （電子制御装置）
３  補機
３１ｕ  Ｕ相負荷  （グローヒータ）
３１ｖ  Ｖ相負荷  （グローヒータ）
４１  ＣＴ１センサ  （第１の電流センサ）
４２  ＣＴ２センサ  （第２の電流センサ）
６  家庭内負荷
９  系統電源
９１  Ｕ相配線
９２  Ｖ相配線
９３  Ｎ相配線
【図１】
0006660230.tif 000002
【図２】
0006660230.tif 000003
【図３】
0006660230.tif 000004
【図４】
0006660230.tif 000005
【図５】
0006660230.tif 000006
【図６】
0006660230.tif 000007
【図７】
0006660230.tif 000008
【図８】
0006660230.tif 000009
【図９】
0006660230.tif 000010
【図１０】
0006660230.tif 000011
【図１１】
0006660230.tif 000012
【図１２】
0006660230.tif 000013